(57)【要約】【課題】  スマートメータに対する不正行為を的確に防止する。【解決手段】  端子カバー３８が開けられたことを検知するセンサ部３５を有するスマートメータ３と、スマートメータ３と通信自在に接続された管理コンピュータ４と、スマートメータ３に対して所定情報を送信するメータキー２と、を備える。スマートメータ３は、メータキー２から所定情報を受信した後に、端子カバー３８が開けられたことを検知した場合に、管理コンピュータ４に対して正常に端子カバー３８が開けられた旨の正常開放情報を送信し、メータキー２から所定情報を受信しないで、端子カバー３８が開けられたことを検知した場合には、管理コンピュータ４に対して不正に端子カバー３８が開けられた旨の不正開放情報を送信する。【選択図】  図１
2017101945.tif 000002
【特許請求の範囲】
【請求項１】
需要家宅に設置されて消費電力量を検針し、カバーが開けられたことを検知する検知手段を有するスマートメータと、
前記スマートメータと通信自在に接続された管理装置と、
携帯自在で、前記スマートメータに対して所定情報を送信するメータキーと、
を備え、前記スマートメータは、前記メータキーから所定情報を受信した後に、カバーが開けられたことを前記検知手段で検知した場合に、前記管理装置に対して正常にカバーが開けられた旨の正常開放情報を送信し、前記メータキーから所定情報を受信しないで、カバーが開けられたことを前記検知手段で検知した場合には、前記管理装置に対して不正にカバーが開けられた旨の不正開放情報を送信する、
ことを特徴とするスマートメータ不正防止システム。
【請求項２】
前記スマートメータは、前記メータキーから受信した所定情報が、予め記憶された情報と同一である場合に前記正常開放情報を送信し、予め記憶された情報と同一でない場合には前記不正開放情報を送信する、
ことを特徴とする請求項１に記載のスマートメータ不正防止システム。
【請求項３】
前記スマートメータは、前記正常開放情報を送信する際に前記メータキーから受信した所定情報を前記管理装置に送信し、
前記管理装置は、紛失したメータキーから送信する所定情報を記憶し、前記正常開放情報を受信した際の所定情報が、記憶された所定情報と同一であるか否かを判定する、
ことを特徴とする請求項１または２のいずれか１項に記載のスマートメータ不正防止システム。
【発明の詳細な説明】
【技術分野】
【０００１】
この発明は、スマートメータに対する不正行為を防止するためのスマートメータ不正防止システムに関する。
【背景技術】
【０００２】
例えば、電力量計では、盗電などの不正行為を発見、防止するために、端子部を覆う端子カバーに封印が施されている。そして、この封印が破壊されているのを検針員などが発見すると、不正行為が行われているとして、電力会社の担当部署に連絡して不正行為を止めていた。
【０００３】
しかしながら、封印の破壊を発見するには定期的に人が巡回する必要があり、また、不正行為が行われてから人が発見、連絡するまでに時間がかかり、その間、盗電などが継続されてしまう。このため、封印が破壊されたことを検知するセンサ機構を設け、封印の破壊を検知した場合に、外部に異常を通報する電力量計が知られている（例えば、特許文献１参照。）。
【先行技術文献】
【特許文献】
【０００４】
【特許文献１】特開２００２−２５７８６２号公報
【発明の概要】
【発明が解決しようとする課題】
【０００５】
ところで、近年、従来の電力量計からスマートメータへの移行が進められており、スマートメータでは、検針員が訪問して検針する必要がないため、封印の破壊つまり不正行為を発見する機会が低下する。また、不正行為を発見するだけのために人を巡回させるには、多大な費用を要する。
【０００６】
一方、特許文献１の技術では、封印の破壊を検知して外部に異常を通報することができるものの、封印が破壊された場合、すべて外部に異常として通報されてしまう。すなわち、電力会社の社員などが作業目的などのために、正常・正当に封印を破壊して端子カバーを開けた場合でも、異常として通報されてしまい、混乱をきたすばかりでなく、不正行為に対する迅速、適正な対応が阻害されるおそれがある。
【０００７】
そこでこの発明は、スマートメータに対する不正行為を的確に防止することを可能にするスマートメータ不正防止システムを提供することを目的とする。
【課題を解決するための手段】
【０００８】
上記課題を解決するために、請求項１の発明は、需要家宅に設置されて消費電力量を検針し、カバーが開けられたことを検知する検知手段を有するスマートメータと、前記スマートメータと通信自在に接続された管理装置と、携帯自在で、前記スマートメータに対して所定情報を送信するメータキーと、を備え、前記スマートメータは、前記メータキーから所定情報を受信した後に、カバーが開けられたことを前記検知手段で検知した場合に、前記管理装置に対して正常にカバーが開けられた旨の正常開放情報を送信し、前記メータキーから所定情報を受信しないで、カバーが開けられたことを前記検知手段で検知した場合には、前記管理装置に対して不正にカバーが開けられた旨の不正開放情報を送信する、ことを特徴とするスマートメータ不正防止システムである。
【０００９】
この発明によれば、電力会社の社員などがメータキーを携帯して需要家宅を訪問し、メータキーからスマートメータに所定情報を送信して、正常にスマートメータのカバーを開けると、スマートメータから管理装置に正常開放情報が送信される。一方、メータキーを携帯しない第三者（不正者）が不正にスマートメータのカバーを開けると、スマートメータから管理装置に不正開放情報が送信される。
【００１０】
請求項２の発明は、請求項１に記載のスマートメータ不正防止システムにおいて、前記スマートメータは、前記メータキーから受信した所定情報が、予め記憶された情報と同一である場合に前記正常開放情報を送信し、予め記憶された情報と同一でない場合には前記不正開放情報を送信する、ことを特徴とする。
【００１１】
請求項３の発明は、請求項１または２に記載のスマートメータ不正防止システムにおいて、前記スマートメータは、前記正常開放情報を送信する際に前記メータキーから受信した所定情報を前記管理装置に送信し、前記管理装置は、紛失したメータキーから送信する所定情報を記憶し、前記正常開放情報を受信した際の所定情報が、記憶された所定情報と同一であるか否かを判定する、ことを特徴とする。
【発明の効果】
【００１２】
請求項１の発明によれば、メータキーを使用して正常にスマートメータのカバーを開けた場合には、管理装置に正常開放情報が送信され、メータキーを使用しないで不正にカバーを開けた場合には、管理装置に不正開放情報が送信される。このため、スマートメータのカバーが開けられたことを迅速に知得できるとともに、カバーが正常に開けられたのか不正に開けられたのかを確実に把握することができる。この結果、スマートメータに対する不正行為を的確に防止したり、不正行為に対して的確に対処したりすることが可能となる。
【００１３】
請求項２の発明によれば、メータキーからの所定情報が、予め記憶された情報と同一である場合にのみ管理装置に正常開放情報が送信され、同一でない場合には不正開放情報が送信される。つまり、スマートメータに対応した特定のメータキーを使用した場合にのみ、正常とされる。このため、スマートメータが許容しないメータキーを使用して不正にカバーを開けた場合にも、管理装置に不正開放情報が送信され、不正行為を的確に防止することが可能となる。
【００１４】
請求項３の発明によれば、正常開放情報とともにメータキーの所定情報がスマートメータから管理装置に送信され、スマートメータからの所定情報が紛失したメータキーの所定情報と同一であるか否かが、管理装置によって判定される。つまり、紛失したメータキーを使用してスマートメータのカバーが開けられたか否かが判定されるため、紛失したメータキーを使用した不正行為を的確に防止することが可能となる。
【図面の簡単な説明】
【００１５】
【図１】この発明の実施の形態に係るスマートメータ不正防止システムを示す概略構成図である。
【図２】図１のシステムにおけるスマートメータの概略構成ブロック図である。
【図３】図１のシステムにおける管理コンピュータの概略構成ブロック図である。
【図４】図１のシステムの正常時の動作を示すタイミングチャートである。
【図５】図１のシステムの不正時の動作を示すタイミングチャートである。
【発明を実施するための形態】
【００１６】
以下、この発明を図示の実施の形態に基づいて説明する。
【００１７】
図１は、この発明の実施の形態に係るスマートメータ不正防止システム１を示す概略構成図である。このスマートメータ不正防止システム１は、スマートメータ３に対する不正行為を防止するためのシステムであり、主として、電力会社の社員Ｍを含む正当者が所持するメータキー２と、各需要家宅Ｈに設置されたスマートメータ３と、電力会社の管理センタＣに配設された管理コンピュータ（管理装置）４と、を備えている。
【００１８】
メータキー２は、人が携帯自在で、スマートメータ３に対して所定情報を送信する電子キーである。具体的には、電源と、発信源と、スイッチと、メモリと、を備え、車のキーレスエントリのように、スイッチがオンされると、メモリに記憶された所定情報を電波信号として、発信源からスマートメータ３に送信する。ここで、この実施の形態では、所定情報は、メータキー２を識別する固有の識別情報であり、外部からメモリに入力、記憶できるようになっている。
【００１９】
スマートメータ３は、通信機能を備えた電力量計で、図２に示すように、主として、計量部３１と、第１通信部３２と、第２通信部３３と、記憶部３４と、センサ部（検知手段）３５と、開閉部３６と、これらを制御などする中央処理部３７と、を備えている。また、この実施の形態では、端子部を覆う端子カバー（カバー）３８が開閉自在となっている。
【００２０】
計量部３１は、消費電力量を検針・計量する電子式の計器部であり、第１通信部３２は、通信網ＮＷを介して管理コンピュータ４と通信するためのインターフェイスであり、第２通信部３３は、メータキー２と無線で通信するためのインターフェイスである。
【００２１】
記憶部３４は、各種の情報・データを記憶するメモリであり、端子カバー３８の開放を許容するメータキー２の所定情報・識別情報などを記憶する。ここで、記憶するメータキー２の所定情報、つまり、端子カバー３８の開放を許容するメータキー２は、１つであってもよいし複数でもよい。
【００２２】
センサ部３５は、端子カバー３８が開けられたことを検知する検知部である。例えば、端子カバー３８に嵌合部を備え、端子カバー３８が開閉する本体ケース３９に被嵌合部を備える。そして、端子カバー３８が閉じた状態で嵌合部が被嵌合部に嵌合し、端子カバー３８が開いて嵌合部が被嵌合部から抜けるのを検知するものである。
【００２３】
開閉部３６は、端子カバー３８を施錠および施錠解除する封印機構である。すなわち、端子カバー３８が閉じられると端子カバー３８を施錠・ロックし、後述するようにして、メータキー２から所定情報を受信すると施錠を解除するものである。例えば、上記の嵌合部が被嵌合部に嵌合した状態で、ピンが嵌合部と被嵌合部を貫通して施錠し、ピンが抜けることで施錠を解除するようになっている。
【００２４】
このようなスマートメータ３は、第２通信部３３でメータキー２から所定情報を受信した後に（受信後所定時間内に）、端子カバー３８が開けられたことをセンサ部３５で検知した場合に、管理コンピュータ４に対して正常に端子カバー３８が開けられた旨の正常開放情報を送信する。一方、メータキー２から所定情報を受信しないで、端子カバー３８が開けられたことをセンサ部３５で検知した場合には、管理コンピュータ４に対して不正にセンサ部３５が開けられた旨の不正開放情報を送信する。
【００２５】
この際、メータキー２から受信した所定情報が、記憶部３４に予め記憶された情報（所定情報）と同一である場合に正常開放情報を送信し、予め記憶された情報と同一でない場合には不正開放情報を送信する。つまり、端子カバー３８の開放を許容されたメータキー２から所定情報を受信した場合にのみ、正常開放情報を送信し、その他のメータキー２から所定情報を受信した場合には、不正開放情報を送信する。ここで、正常開放情報と不正開放情報には、スマートメータ３の識別情報が含まれる。
【００２６】
また、正常開放情報を送信する際に、メータキー２から受信した所定情報・識別情報を管理コンピュータ４に送信する。さらに、メータキー２から所定情報を受信して不正開放情報を送信する際にも、つまり、このスマートメータ３が許容しないメータキー２の使用による場合にも、メータキー２から受信した所定情報を管理コンピュータ４に送信する。これにより、管理コンピュータ４において、どのメータキー２を使用して正常または不正に端子カバー３８が開けられたかが知得される。
【００２７】
管理コンピュータ４は、各スマートメータ３と通信自在に接続された装置であり、汎用コンピュータで構成されて入出力インターフェイスを備えるとともに、図３に示すように、主として、通信部４１と、機器情報記憶部４２と、開放情報記憶部４３と、紛失情報記憶部４４と、判定タスク４５と、を備えている。
【００２８】
通信部４１は、通信網ＮＷを介して各スマートメータ３と通信するためのインターフェイスであり、機器情報記憶部４２は、各メータキー２や各スマートメータ３に関する情報を記憶するメモリである。例えば、各メータキー２の識別情報（所定情報）、配布部署名や携帯者名および、各スマートメータ３の識別情報、設置されている需要家名、記憶部３４に記憶されたメータキー２の所定情報などを記憶する。
【００２９】
開放情報記憶部４３は、各スマートメータ３から受信した正常開放情報と不正開放情報を記憶するメモリである。すなわち、スマートメータ３ごとに時系列に（日時とともに）正常開放情報と不正開放情報を記憶し、いつ、どのメータキー２で端子カバー３８が正常に開けられたのか、不正に開けられたのかがわかるようになっている。さらに、後述する不正アクセス情報を時系列に記憶するとともに、判定タスク４５による判定結果を記憶する。
【００３０】
紛失情報記憶部４４は、盗難や置き忘れなどによって紛失したメータキー２に関する情報を記憶するメモリである。すなわち、紛失日時、紛失したメータキー２から送信する所定情報、つまり、メータキー２の識別情報などを記憶する。
【００３１】
判定タスク４５は、正常開放情報を受信した際の所定情報が、紛失情報記憶部４４に記憶された所定情報と同一であるか否かを判定するタスク・プログラムである。すなわち、正常開放情報に含まれるメータキー２の所定情報・識別情報が、紛失中のメータキー２の識別情報と同一であるか否かを判定する。
【００３２】
次に、このような構成のスマートメータ不正防止システム１の動作・作用などについて説明する。
【００３３】
まず、図４に示すように、電力会社の社員Ｍなどの正当者がメータキー２を携帯して需要家宅Ｈを訪問し、メータキー２からスマートメータ３に所定情報（ＩＤ）を送信する（ステップＳ１）。この所定情報が記憶部３４に予め記憶された所定情報と同一でない場合（ステップＳ２で「Ｎ」）には、不正にアクセスされた旨の不正アクセス情報を、メータキー２からの所定情報とスマートメータ３の識別情報とともに、スマートメータ３から管理コンピュータ４に送信する（ステップＳ３）。
【００３４】
一方、メータキー２からの所定情報が記憶部３４に予め記憶された所定情報と同一の場合（ステップＳ２で「Ｙ」）には、開閉部３６によって端子カバー３８の施錠を解除（開錠）する（ステップＳ４）。続いて、端子カバー３８が開けられると（ステップＳ５）、そのことがセンサ部３５で検知され（ステップＳ６）、スマートメータ３から管理コンピュータ４に正常開放情報を送信する（ステップＳ７）。
【００３５】
次に、管理コンピュータ４で判定タスク４５が起動され、正常開放情報に含まれる所定情報が紛失情報記憶部４４に記憶された所定情報と同一であるか否か、つまり、紛失中のメータキー２が使用されているか否かを判定する（ステップＳ８）。そして、開放情報記憶部４３に、正常開放情報を記憶するとともに、ステップＳ８による判定結果を記憶する（ステップＳ９）。
【００３６】
一方、図５に示すように、不正者がメータキー２を使用しないで端子カバー３８を開けたり、許容されていないメータキー２を使用して端子カバー３８を開けたりした場合（ステップＳ１１）、そのことがセンサ部３５で検知され（ステップＳ１２）、スマートメータ３から管理コンピュータ４に不正開放情報を送信する（ステップＳ１３）。そして、開放情報記憶部４３に不正開放情報を記憶する（ステップＳ１４）ものである。
【００３７】
以上のように、このスマートメータ不正防止システム１によれば、メータキー２を使用して正常にスマートメータ３の端子カバー３８を開けた場合には、管理コンピュータ４に正常開放情報が送信され、メータキー２を使用しないで不正に端子カバー３８を開けた場合には、管理コンピュータ４に不正開放情報が送信される。このため、スマートメータ３の端子カバー３８が開けられたことを電力会社側で迅速に知得できるとともに、端子カバー３８が正常に開けられたのか不正に開けられたのかを確実に把握することができる。この結果、スマートメータ３に対する不正行為を的確に防止したり、不正行為に対して的確に対処したりすることが可能となる。
【００３８】
また、メータキー２からの所定情報が、予め記憶された情報と同一である場合にのみ管理コンピュータ４に正常開放情報が送信され、同一でない場合には不正開放情報が送信される。つまり、スマートメータ３に対応した特定のメータキー２を使用した場合にのみ、正常とされる。このため、スマートメータ３が許容しないメータキー２を使用して不正に端子カバー３８を開けた場合にも、管理コンピュータ４に不正開放情報が送信され、不正行為を的確に防止することが可能となる。
【００３９】
しかも、許容されていないメータキー２の所定情報をスマートメータ３に送信した時点で、スマートメータ３から管理コンピュータ４に不正アクセス情報が送信される。このため、電力会社の社員Ｍなどが駆けつけたり、スマートメータ３で警報などを発したりすることで、端子カバー３８が不正に開けられるのを未然に防止することが可能となる。
【００４０】
さらに、正常開放情報とともにメータキー２の所定情報がスマートメータ３から管理コンピュータ４に送信され、スマートメータ３からの所定情報が紛失したメータキー２の所定情報と同一であるか否かが、管理コンピュータ４によって判定される。つまり、紛失したメータキー２を使用してスマートメータ３の端子カバー３８が開けられたか否かが判定されるため、紛失したメータキー２を使用した不正行為を的確に防止することが可能となる。
【００４１】
また、いつ、どのメータキー２で端子カバー３８が開けられたのかが、開放情報記憶部４３に記憶されるため、作業対象のスマートメータ３の識別情報や作業日時、作業者名などを記憶した作業計画情報と見比べることで、作業のために正常に端子カバー３８が開けられたのか、作業計画に従って端子カバー３８が開けられたか、などを確認することができる。同様に、端子カバー３８が不正に開けられた場合にも、その日時などが開放情報記憶部４３に記憶されるため、どのような理由・目的で端子カバー３８を開けたのかなどを、不正者に対して追及・追跡することなどが可能となる。
【００４２】
一方、開閉部３６によって自動的に端子カバー３８が施錠および施錠解除されるため、不作為に（誤って）端子カバー３８を開けてしまうことなどを防止することができる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、端子カバー３８が開けられたことを検知しているが、スマートメータ３の本体を覆うカバーなどが開けられたことを検知してもよい。つまり、不正行為の要因となるカバーが開けられたことを検知すればよい。
【００４４】
また、スマートメータ３に開閉部３６を設け、端子カバー３８を自動的に施錠および施錠解除しているが、このような開閉部３６を設けずに封印のみを行うようにしてもよい。さらに、メータキー２から受信した所定情報が、記憶部３４に記憶された情報と同一である場合にのみ正常開放情報を送信しているが、メータキー２から所定情報（全メータキー２で統一な情報や異なる情報）を受信した場合には、その所定情報の内容に関わらず、すべて正常開放情報を送信するようにしてもよい。
【符号の説明】
【００４５】
１        スマートメータ不正防止システム
２        メータキー
３        スマートメータ
３５      センサ部（検知手段）
３８      端子カバー（カバー）
３９      本体ケース
４        管理コンピュータ（管理装置）
Ｈ        需要家宅
Ｃ        電力会社の管理センタ
Ｍ        電力会社の社員
ＮＷ      通信網
【図１】
2017101945.tif 000003
【図２】
2017101945.tif 000004
【図３】
2017101945.tif 000005
【図４】
2017101945.tif 000006
【図５】
2017101945.tif 000007